(57)【特許請求の範囲】
【請求項１】
スポーツシューズ用アウトソールプレート構造であって、
着用者の足の前足部領域から踵部領域にかけて延設されたアウトソールプレート本体を備え、
前記アウトソールプレート本体の底面において、足の拇指球部領域、子指球部領域および踵骨の載距突起部分にそれぞれ対応する位置を結んでできる三角形状領域またはその内部に、外甲側から内甲側に向かうにしたがい斜め後方に延びる複数本の溝を形成し、
前記複数本の溝を前記子指球部領域の近傍を通るように配置するとともに、隣り合う前記各溝の間隔を外甲側から内甲側に向かうにしたがい広くした、
ことを特徴とするスポーツシューズ用アウトソールプレート構造。
【請求項２】
請求項１において、
前記複数本の溝が、前記アウトソールプレート本体の内甲側縁部まで延びている、
ことを特徴とするスポーツシューズ用アウトソールプレート構造。
【請求項３】
請求項１または２において、
前記複数本の溝が、子指球部領域またはその近傍領域に対応する位置を起点として内甲側に向かうにしたがい扇状に分布している、
ことを特徴とするスポーツシューズ用アウトソールプレート構造。
【請求項４】
請求項１ないし３のいずれかにおいて、
前記三角形状領域の外甲側領域には、当該三角形状領域の剛性よりも剛性が高い高剛性領域が設けられている、
ことを特徴とするスポーツシューズ用アウトソールプレート構造。
【請求項５】
請求項４において、
前記高剛性領域が、着用者の足の中足部領域の部位に対応する位置から踵部領域の部位に対応する位置まで配設されている、  
ことを特徴とするスポーツシューズ用アウトソールプレート構造。
【請求項６】
請求項１ないし５のいずれかにおいて、
当該スポーツシューズがクリーツシューズである、
ことを特徴とするスポーツシューズ用アウトソールプレート構造。
【請求項７】
請求項６において、
前記複数本の溝が、前記クリーツシューズにおいてクリーツが配置されていない個所に形成されている、
ことを特徴とするスポーツシューズ用アウトソールプレート構造。
【請求項８】
請求項６において、
前記クリーツシューズのクリーツが着用者の足の拇指球部領域および子指球部領域に対応する位置にそれぞれ配置されており、前記複数本の溝が、前記各位置の間のいずれかの部位を起点として内甲側に向かうにしたがい扇状に分布している、
ことを特徴とするスポーツシューズ用アウトソールプレート構造。
【発明の詳細な説明】
【技術分野】
【０００１】
本発明は、スポーツシューズのためのアウトソールプレート構造に関し、詳細には、スポーツシューズとして素早いターンを可能にするための構造の改良に関する。
【背景技術】
【０００２】
特開２０１２−６１３０８号公報には、サッカーシューズ等のスパイクシューズのソールにおいて、前足部領域に配置されたスタッドを通る位置に弾性フレックス区域を設けたことにより、スタッドによる牽引力を確保しつつ前足部領域の可撓性を増加させたと記載されている（同公報の段落［００２３］〜［００２６］および［００４９］〜［００５０］ならびに図２〜図８参照）。また、特許第４９３５８１３号公報には、サッカーシューズやラグビーシューズ等のスパイクシューズのソールにおいて、第１趾趾節間関節を通りかつ内甲側から外甲側にかけて斜め前方に傾斜する領域にクリーツのない高屈曲エリアを形成するとともに、当該高屈曲エリアの前後にクリーツを配置したことで、ソール前足部を屈曲しやすくしたことにより、高効率のダッシュおよび高走行効率の等速ランニングを可能にしたと記載されている（同公報の段落［０００３］および［００１９］〜［００２２］ならびに図５〜図９参照）。
【発明の概要】
【発明が解決しようとする課題】
【０００３】
上述した各公報に記載のものでは、ソール前足部単体の可撓性または屈曲性を向上させることを主眼としており、運動時の前後方向の動きのみに着目している。ところが、サッカーやラグビー等のスポーツにおいては、横方向の動きも重要であり、運動時に素早いターン（方向転換）が要求される。
【０００４】
そこで、本願発明者は、まず、ターンを行う人のターンの際の足および脚の動きに注目した。ターンの際には、通常、ターンを行う方向（進行方向）とは反対側の脚および足で、ターンを行う方向とは反対方向に蹴り出す動作が行われる。この場合において、ターンを行う人は、ターンを行う方向への地面反力を大きくするために、アウトソール底面を地面に十分に接地させてグリップ力を確保しつつ、ターンを行う方向に脚を傾斜させている。そして、ターンを行う人の動作を分析した結果、素早いターンを実現するためには、アウトソール底面の地面に対するグリップ力が大きく、かつ、ターンを行う方向への脚の傾斜角度が大きい状態であるのが好ましいことが分かった。
【０００５】
一方、従来のソール構造においては、ソール中足部領域が屈曲および捩れを生じないように、ソール中足部領域からソール踵部領域にかけて前後方向に延びるリブがアウトソールに形成されている（例えば特開２０１２−６１３０８号公報の図３参照）。すなわち、従来のソール構造では、ターンの際に脚を傾斜させた場合に、ターンを行う人の足の中足部領域の関節の動きに応じたアウトソール変形ができない構造になっている。このため、アウトソール底面と地面との接地領域すなわちグリップ力を確保するために、ターンを行う人が採る手段は実質的に、足首を屈曲させること（内反）に限られる。この場合、地面に対するアウトソールのグリップ力が十分でないため、ターンを行う方向とは反対側の脚および足で蹴り出す際の地面反力を十分に得られず、その結果、素早いターンを行うことができなかった。
【０００６】
本発明は、このような従来の実情に鑑みてなされたもので、本発明が解決しようとする課題は、ターンを行う方向への地面反力を十分に得ることにより、素早いターンを行うことが可能なスポーツシューズ用アウトソールプレート構造を提供しようとしている。
【課題を解決するための手段】
【０００７】
本発明に係るスポーツシューズ用アウトソールプレート構造は、着用者の足の前足部領域から踵部領域にかけて延設されたアウトソールプレート本体を備え、アウトソールプレート本体の底面において、足の拇指球部領域、子指球部（小指球部）領域および踵骨の載距突起部分にそれぞれ対応する位置を結んでできる三角形状領域またはその内部に、外甲側から内甲側に向かうにしたがい斜め後方に延びる複数本の溝を形成し、複数本の溝を子指球部領域の近傍を通るように配置するとともに、隣り合う各溝の間隔を外甲側から内甲側に向かうにしたがい広くしている（請求項１参照）。
【０００８】
本発明によれば、足の拇指球部領域、子指球部領域および踵骨の載距突起部分にそれぞれ対応する位置を結んでできる三角形状領域にまたはその内部の一部の領域に溝を形成したことにより、当該三角形状領域の屈曲性が向上している。そのため、アウトソールプレート本体の拇指球部領域が踵部領域に対して捩れやすくなっており、言い換えれば、アウトソールプレート本体の中足部領域が回外を起こしやすくなっている。これにより、ターンを行う際には、アウトソールプレート本体の底面を地面に対して十分に接地させることができ、地面に対するグリップ力を大きくできるとともに、ターンを行う方向への脚の傾斜角度を大きくできる。このようにして、ターンを行う方向への地面反力を十分に得ることができ、素早いターンを実現できるようになる。
【０００９】
また、本発明では、溝が外甲側から内甲側に向かうにしたがい斜め後方に延びているので、アウトソールプレート本体の拇指球部領域の踵部領域に対する屈曲性（つまり捩じれやすさ）をさらに向上でき、アウトソールプレート本体の中足部領域の回外をさらに助長でき、これにより、ターンを行う方向への地面反力を大きくでき、より素早いターンを実現できるようになる。
【００１０】
さらに、本発明では、複数本の溝が子指球部領域の近傍を通るように配置されるとともに、外甲側から内甲側に向かうにしたがい、隣り合う各溝の間隔が徐々に広くなっているので、ターン動作時にアウトソールプレート本体の拇指球部領域が踵部領域に対して屈曲する際に、後方側の溝から前方側の溝にかけて段階的に徐々に屈曲することができ、これにより、アウトソールプレート本体の屈曲をスムーズに発生させることができる。
【００１１】
本発明では、複数本の溝がアウトソールプレート本体の内甲側縁部まで延びている（請求項２参照）。この場合には、アウトソールプレート本体の拇指球部領域の踵部領域に対する屈曲性（捩じれやすさ）をより一層向上でき、アウトソールプレート本体の中足部領域の回外をより一層助長でき、これにより、ターンを行う方向への地面反力をさらに大きくでき、より一層素早いターンを実現できるようになる。
【００１２】
本発明では、複数本の溝が子指球部領域またはその近傍領域に対応する位置を起点として内甲側に向かうにしたがい扇状に分布している（請求項３参照）。この場合には、アウトソールプレート本体の拇指球部領域が踵部領域に対して屈曲する際に、子指球部領域またはその近傍領域に対応する位置の回りに徐々に屈曲するので、アウトソールプレート本体の屈曲をよりスムーズに発生させることができる。
【００１３】
本発明では、前記三角形状領域の外甲側領域には、当該三角形領域の剛性よりも剛性が高い高剛性領域が設けられている（請求項４参照）。この場合には、前記三角形状領域がその外甲側の高剛性領域よりも相対的に屈曲しやすくなっており、前記三角形状領域の屈曲性が相対的に向上している。これにより、アウトソールプレート本体の拇指球部領域が踵部領域に対してさらに捩れやすくなっており、アウトソールプレート本体の中足部領域がさらに回外を起こしやすくなっている。
【００１４】
本発明では、前記高剛性領域が、着用者の足の中足部領域の部位に対応する位置から踵部領域の部位に対応する位置まで配設されている（請求項５参照）。この場合には、アウトソールプレート本体の拇指球部領域の踵部領域に対する屈曲性をより一層向上でき、アウトソールプレート本体の中足部領域の回外をより一層助長できる。
【００１５】
本発明では、当該スポーツシューズがクリーツシューズ（スパイクシューズ）である（請求項６参照）。
【００１６】
本発明では、複数本の溝が、クリーツシューズにおいてクリーツが配置されていない個所に形成されている（請求項７参照）。この場合には、クリーツが前記三角形状領域の屈曲を妨げることはなく、クリーツシューズにおいて当該三角形状領域の屈曲性を確保できる。
【００１７】
本発明では、クリーツシューズのクリーツが着用者の足の拇指球部領域および子指球部領域に対応する位置にそれぞれ配置されており、複数本の溝が、各クリーツの位置の間のいずれかの部位を起点として内甲側に向かうにしたがい扇状に分布している（請求項８参照）。
【００１８】
この場合には、アウトソールプレート本体の拇指球部領域が踵部領域に対して屈曲する際には、足の拇指球部領域に対応する位置および子指球部領域に対応する位置にそれぞれ配置された各クリーツの間のいずれかの部位の回りに徐々に屈曲するので、アウトソールプレート本体の屈曲をスムーズに発生させることができる。
【発明の効果】
【００１９】
以上のように、本発明によれば、足の拇指球部領域、子指球部領域および踵骨の載距突起部分にそれぞれ対応する位置を結んでできる三角形状領域またはその内部に溝を形成したので、当該三角形状領域の屈曲性が向上しており、アウトソールプレート本体の拇指球部領域が踵部領域に対して屈曲しやすくなっており、アウトソールプレート本体の中足部領域が回外を起こしやすくなっている。これにより、ターンを行う際には、アウトソールプレート本体の底面を地面に対して十分に接地させることができ、地面に対するグリップ力を大きくできるとともに、ターンを行う方向への脚の傾斜角度を大きくできる。このようにして、ターンを行う方向への地面反力を大きくでき、素早いターンを実現できるようになる。
【図面の簡単な説明】
【００２０】
【図１】本発明の一実施例によるスポーツシューズ用アウトソールプレート構造の底面概略図である。
【図２】前記アウトソールプレート構造（図１）の平面概略図である。
【図３】前記アウトソールプレート構造（図１）の外甲側側面概略図である。
【図４】前記アウトソールプレート構造（図１）と足の骨格構造との位置関係を示す底面概略図である。
【図５】図１のV-V線断面図である。
【図６】図１のVI-VI線断面図である。
【図７】本発明の第１の変形例によるスポーツシューズ用アウトソールプレート構造における溝の傾きを説明するための概略図である。
【図８】本発明の第２の変形例によるスポーツシューズ用アウトソールプレート構造における各溝の配列を説明するための概略図である。
【図９】本発明の第３の変形例によるスポーツシューズ用アウトソールプレート構造における溝の配列を説明するための概略図である。
【図１０】本発明の第４の変形例によるスポーツシューズ用アウトソールプレート構造における溝の横断面形状を説明するための概略図である。
【図１１】本発明の第５の変形例によるスポーツシューズ用アウトソールプレート構造における溝の横断面形状を説明するための概略図である。
【図１２】本発明の第６の変形例によるスポーツシューズ用アウトソールプレート構造における溝の横断面形状を説明するための概略図である。
【図１３】本発明の第７の変形例によるスポーツシューズ用アウトソールプレート構造における溝の横断面形状を説明するための概略図である。
【図１４】本発明の第８の変形例によるスポーツシューズ用アウトソールプレート構造の底面概略図である。
【発明を実施するための形態】
【００２１】
以下、本発明の実施例を添付図面に基づいて説明する。
図１ないし図６は本発明の一実施例によるスポーツシューズ用アウトソールプレート構造を示している。ここでは、スポーツシューズとして、サッカーやラグビー、アメフト（アメリカンフットボール）、野球等のスポーツに用いられるクリーツシューズを例にとる。
【００２２】
図１ないし図３に示すように、本実施例によるアウトソールプレート構造は、アウトソールプレート本体１を有している。アウトソールプレート本体１は、着用者の足の前足部領域、中足部領域および踵部領域にそれぞれ対応する前足部領域Ｆ、中足部領域Ｍおよび踵部領域Ｈを有しており、当該前足部領域Ｆから中足部領域Ｍをへて踵部領域Ｈまで前後方向に延設されている。アウトソールプレート本体１は、接地面となる底面１Ａと、その逆側に配置され、着用者の足裏当接側に配置される足裏当接側面１Ｂとを有している。
【００２３】
アウトソールプレート本体１は、薄肉のプレート状部材であって、その外周縁部に沿って上方（図２紙面手前側および図３右方）に立ち上がる立ち上り部１Ｃが全周にわたって形成されている。立ち上がり部１Ｃの内側面には、スポーツシューズのアッパー（図示せず）の下部外側面が固着されるようになっている。
【００２４】
アウトソールプレート本体１は、好ましくは硬質弾性部材から構成されており、具体的には、熱可塑性ポリウレタン（ＴＰＵ）やポリアミド（ＰＡ）、ポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。
【００２５】
アウトソールプレート本体１の底面１Ａには、複数のクリーツが配設されており、前足部領域Ｆの内甲側にクリーツ１０、１０’が、外甲側にクリーツ１１、１１’、１１”が、幅方向中央部分にクリーツ１２、１２’がそれぞれ配置され、踵部領域Ｈの内甲側にクリーツ１３が、外甲側にクリーツ１３’がそれぞれ配置されている。アウトソールプレート本体１の足裏当接側面１Ｂには、これらのクリーツに対応する位置に凹部がそれぞれ形成されている。図２では、各凹部の参照符号を、当該各凹部にそれぞれ対応する各クリーツの参照符号の後に「ａ」を付与することで表している。なお、これらの凹部は必須のものではない。
【００２６】
アウトソールプレート本体１の底面１Ａには、複数の溝２１〜２５からなる溝２が形成されている。各溝２１〜２５は、図１に示すように、前足部領域Ｆの後方（同図下方）側領域において外甲寄りの部位を起点として内甲側に向かうにしたがい概略扇状に分布しており、各クリーツとオーバラップすることなく、各クリーツを避けつつ配設されている（図１参照）。各溝２１〜２５は、外甲側から内甲側に向かうにしたがい、徐々に湾曲しつつ延びており、曲線状または概略直線状の溝になっている。隣り合う各溝の間隔は、外甲側領域よりも内甲側領域の方が広くなっており、外甲側から内甲側に向かうにしたがい、徐々にまたは段階的に広くなっている。
【００２７】
図４は、本実施例によるアウトソールプレート構造と足の骨格構造との位置関係を示す底面概略図である。同図において、第１趾基節骨ＰＰ１と第１趾中足骨ＭＢ１との間の第１中足趾節関節ＭＰ１の周囲に分布する円形状の一点鎖線領域が拇指球部領域ＴＥであり、同様に、第５趾基節骨ＰＰ５と第５趾中足骨ＭＢ５との間の第５中足趾節関節ＭＰ５の周囲に分布する円形状の一点鎖線領域が子指球部（小指球部）領域ＴＥである。また、踵骨ＣＣの載距突起部分ＳＴを円形の斜線領域で示している。なお、同図中、ＣＵは立方骨を示し、ＮＡは舟状骨を示している。
【００２８】
溝２は、足の拇指球部領域ＴＥ内の部位、子指球部領域ＨＥ内の部位および踵骨ＣＣの載距突起部分ＳＴにそれぞれ対応する位置を結んでできる三角形状領域ＴＲ（一点鎖線参照）に配置されている。図４に示す三角形状領域ＴＲは、好ましい例として、拇指球部領域ＴＥ内の後方（同図下方）側に位置する部位ＴＥ１（円形の斜線領域参照）と、子指球部領域ＨＥ内の中央部の部位と、載距突起部分ＳＴの中央部の部位とを結んで形成されている。
【００２９】
溝２は、三角形状領域ＴＲ内において、外甲側から内甲側に向かうにしたがい斜め後方に延びている。溝２は、この例では、三角形状領域ＴＲの内部の一部の領域に分布しているが、三角形状領域ＴＲの全域に分布させるようにしてもよい。また、溝２は、この例では、アウトソールプレート本体１の内甲側縁部まで（つまり内甲側の立ち上がり部１Ｃの上端縁部まで）延びているが、溝２の内甲側の終端は、アウトソールプレート本体１の内甲側縁部の手前（つまり内甲側の立ち上がり部１Ｃの手前）に配置するようにしてもよい。
【００３０】
溝２の起点は、この例では、子指球部領域ＨＥの近傍において三角形状領域ＴＲの外側に配置されているが、三角形状領域ＴＲの境界線上またはその内部、あるいは子指球部領域ＨＥの内部に配置するようにしてもよい。
【００３１】
図４から分かるように、前足部領域Ｆにおいて内甲側のクリーツ１０’は拇指球部領域ＴＥに対応する位置に、外甲側のクリーツ１１’は子指球部領域ＨＥに対応する位置にそれぞれ配置されており、踵部領域Ｈにおいて内甲側のクリーツ１３は載距突起部分ＳＴの近傍に配置されている。溝２の起点は、クリーツ１０’および１１’の間のいずれかの部位に配置されている。この例では、溝２の起点は、外甲側のクリーツ１１’と幅方向中央部のクリーツ１２’との間の部位に配置されている。
【００３２】
溝２の横断面形状については、内甲側領域では、図１のV-V線断面である図５に示すように、各溝２１〜２５が概略三角形状を有しており、外甲側領域では、図１のVI-VI線断面である図６に示すように、各溝２１〜２５が概略円弧形状を有しているが（図５、図６ではハッチング省略）、内甲側領域および外甲側領域の双方において、同一の横断面形状を有するようにしてもよい。各溝２１〜２５の深さは、この例では、内甲側領域および外甲側領域においていずれもｄとなっているが、双方の領域で深さを変えるようにしてもよい。
【００３３】
図４に示すように、三角形状領域ＴＲの外甲側領域には、当該三角形状領域ＴＲの剛性よりも剛性の高い高剛性領域部３Ａおよび３Ｂが設けられている。この高剛性領域部は、図１および図２に示すように、アウトソールプレート本体１の底面１Ａ側では領域部３Ａおよび３Ｂで表され、足裏当接側面１Ｂ側では領域３として表されているが、これらはいずれも同一の部材である。図２に示すような外周形状を有するプレート状の高剛性領域部３をインサートとしてアウトソールプレート本体１の成形時にインサート成形したことで、アウトソールプレート本体１の底面１Ａ側では、高剛性領域部３のそれぞれ一部である領域部３Ａおよび３Ｂが現れている。高剛性領域部３は、アウトソールプレート本体１の中足部領域Ｍの外甲側領域から踵部領域Ｈの幅方向中央部にかけての領域に配設されている。
【００３４】
高剛性領域部３は、好ましくは硬質弾性部材から構成されており、具体的には、熱可塑性ポリウレタン（ＴＰＵ）やポリアミド（ＰＡ）、ポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。また、高剛性領域部３は、炭素繊維やアラミド繊維、ガラス繊維等を強化用繊維とし、熱硬化性樹脂や熱可塑性樹脂をマトリックス樹脂とした繊維強化プラスチック（ＦＲＰ）から構成するようにしてもよい。高剛性領域部３は、アウトソールプレート本体１と異なる素材を用いることにより、またはアウトソールプレート本体１と同じ素材であっても肉厚を厚くすることなどによって、アウトソールプレート本体１よりも剛性が高くなっている。
【００３５】
次に、本実施例の作用効果について説明する。
本アウトソールプレート構造においては、上述したように、足の拇指球部領域ＴＥ内の部位、子指球部領域ＨＥ内の部位および踵骨ＣＣの載距突起部分ＳＴにそれぞれ対応する位置を結んでできる三角形状領域ＴＲに溝２を形成したことにより（図４参照）、当該三角形状領域ＴＲの屈曲性が向上しており、足の拇指球部領域ＴＥに対応するアウトソールプレート本体１の領域が踵部領域Ｈに対して屈曲しやすくなっており、アウトソールプレート本体１の中足部領域Ｍが回外を起こしやすくなっている。これにより、ターンを行う際には、アウトソールプレート本体１の底面１Ａを地面に対して十分に接地させることができ、地面に対するグリップ力を大きくできるとともに、ターンを行う方向への脚の傾斜角度を大きくできる。このようにして、ターンを行う方向への地面反力を十分に得ることができ、素早いターンを実現できるようになる。
【００３６】
ここで、三角形状領域ＴＲの後方側の頂点として、載距突起部分ＳＴに着目したのは、ターンの際に足の踵部領域で踏ん張っている際、地面に対する荷重位置が載距突起部分ＳＴに対応しているからである。そして、載距突起部分ＳＴの前方側領域については、溝２を形成して屈曲性を向上させる一方、載距突起部分ＳＴの後方側領域については、溝２を形成しないことで堅い構成とするとともにクリーツ１３を配置したことにより、足の踵部領域での踏ん張り時にクリーツ１３で安定して踏ん張ることができるのである。
【００３７】
また、ターンを行う方向と反対方向への蹴り出し時には、着地していた側のアウトソールプレート本体１の前足部領域Ｆを使うが、このとき、前足部領域Ｆの内甲側の各クリーツ１０、１０’に凹面１０ｂ、１０’ｂが形成されているので（図１参照）、これらのクリーツ１０、１０’により地面を蹴るとき、各凹面１０ｂ、１０’ｂによって地面を十分に捉えることができ、地面に対するトラクション効果を向上できる。
【００３８】
また、本実施例においては、溝２が外甲側から内甲側に向かうにしたがい斜め後方に延びていることにより、アウトソールプレート本体１において拇指球部領域ＴＥに対応する領域の踵部領域Ｈに対する屈曲性（捩じれやすさ）をさらに向上でき、アウトソールプレート本体１の中足部領域Ｍの回外をさらに助長できる。これにより、ターンを行う方向への地面反力を大きくでき、より素早いターンを実現できるようになる。
【００３９】
本実施例においては、溝２がアウトソールプレート本体１の内甲側縁部まで延びていることにより、アウトソールプレート本体１において拇指球部領域ＴＥに対応する領域の踵部領域Ｈに対する屈曲性（捩じれやすさ）をより一層向上でき、アウトソールプレート本体１の中足部領域Ｍの回外をより一層助長でき、これにより、ターンを行う方向への地面反力をさらに大きくでき、より一層素早いターンを実現できるようになる。
【００４０】
本実施例においては、溝２が複数本形成されるとともに、隣り合う各溝２１〜２５の間隔が外甲側から内甲側に向かうにしたがい徐々に広くなっていることにより、アウトソールプレート本体１において拇指球部領域ＴＥに対応する領域が踵部領域Ｈに対して屈曲する際に、後方側の溝２５から前方側の溝２１にかけて段階的に徐々に屈曲することができ、これにより、アウトソールプレート本体１の屈曲をスムーズに発生させることができる。
【００４１】
本実施例においては、溝２が複数本形成されるとともに、子指球部領域ＨＥの近傍領域に対応する位置（本実施例ではさらに、子指球部領域ＨＥに対応する位置のクリーツ１１’と、幅方向中央部のクリーツ１２’との間の位置）を起点として内甲側に向かうにしたがい扇状に分布していることにより、アウトソールプレート本体１において拇指球部領域ＴＥに対応する領域が踵部領域Ｈに対して屈曲する際には、子指球部領域ＨＥの近傍領域に対応する位置の回りに徐々に屈曲するので、アウトソールプレート本体１の屈曲をよりスムーズに発生させることができる。
【００４２】
さらに、本実施例においては、三角形状領域ＴＲの外甲側領域に当該三角形領域ＴＲの剛性よりも剛性が高い高剛性領域３が設けられていることにより、三角形状領域ＴＲがその外甲側の高剛性領域３よりも相対的に屈曲しやすくなっており、三角形状領域ＴＲの屈曲性が相対的に向上している。これにより、アウトソールプレート本体１において拇指球部領域ＴＥに対応する領域が踵部領域Ｈに対してさらに捩れやすくなっており、アウトソールプレート本体１の中足部領域Ｍがさらに回外を起こしやすくなっている。
【００４３】
本実施例においては、高剛性領域３が、アウトソールプレート本体１の中足部領域Ｍの外甲側領域から踵部領域Ｈの幅方向中央部にかけての領域に配設されていることにより、アウトソールプレート本体１において拇指球部領域ＴＥに対応する領域の踵部領域Ｈに対する屈曲性をより一層向上でき、アウトソールプレート本体１の中足部領域Ｍの回外をより一層助長できる
【００４４】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００４５】
＜第１の変形例＞
前記実施例では、溝２が外甲側から内甲側にかけて斜め後方に配設されている例を示したが、溝２の傾きとしては種々のものが考えられる。図７は、本発明の第１の変形例によるアウトソールプレート構造において、溝の傾きを説明するための概略図である。同図において、一点鎖線Ｌは、アウトソールプレート本体の前後方向中心線を示しており、これは足長方向と一致している。
【００４６】
図７では、溝ｇが前後方向中心線Ｌに対して角度αだけ傾斜している状態が示されている。この傾斜角αは、前記実施例に示したような鋭角（０＜α＜９０°）の場合が好ましいが、これには限定されず、鈍角（９０°＜α＜１８０°）であってもよく、またα＝０°やα＝１８０°、さらにはα＝９０°の場合をも含み得る。したがって、αがとり得る範囲としては、前記実施例の場合も含めて、０°≦α≦１８０°となる。また、溝ｇは、前後方向中心線Ｌを跨いで配設されていなくてもよく、前後方向中心線Ｌを挟んでいずれか一方の領域（つまり内甲側領域または外甲側領域）に配設されていてもよい。
【００４７】
また、前記実施例では、溝２が溝２１〜２５の５本の溝で構成された例を示したが、溝２の本数は、これに限定されず、５本より多くても少なくてもよく、また図７に示すような１本の溝ｇで構成されていてもよい。
【００４８】
＜第２の変形例＞
前記実施例では、隣り合う各溝の間隔が、外甲側から内甲側に向かうにしたがい広くなっている例を示したが、各溝の間隔はこれに限定されない。図８は、本発明の第２の変形例によるアウトソールプレート構造において、各溝の配列を説明するための概略図である。同図に示すように、各溝ｇ１〜ｇ５は互いに平行に配設されており、隣り合う各溝の間隔は、外甲側から内甲側にかけて一定である。この場合、各溝ｇ１〜ｇ５は、足長方向Ｌに対していずれも同一の傾斜角をなしている。
【００４９】
＜第３の変形例＞
前記実施例では、溝２を構成する各溝２１〜２５が、外甲側から内甲側に向かうにしたがい徐々に湾曲する曲線状の溝になっている例を示したが、各溝２１〜２５はいずれも直線状に配設されていてもよい。
【００５０】
図９は、本発明の第３の変形例によるアウトソールプレート構造において、各溝の配列を説明するための概略図である。同図に示すように、各溝ｇ１〜ｇ５は、点Ｏを起点として内甲側に向かって直線状に放射状に延びており、扇状に分布している。
【００５１】
＜第４ないし７の変形例＞
前記実施例では、溝２を構成する各溝２１〜２５が、内甲側領域において概略三角形状の横断面形状を有し、外甲側領域において概略円弧形状の横断面形状を有するものを示したが、溝２の横断面形状はこれに限定されない。図１０ないし図１３は、溝２の横断面形状の変形例を示している。なお、各図においては、ハッチングを省略している。
【００５２】
図１０に示すものでは、溝２Ａは、複数の鋸歯状の突起２Ａｐの間に形成された複数の三角形状の溝２Ａｇから構成されている。図１１に示すものでは、溝２Ｂは、複数の山形状の突起２Ｂｐの間に形成された複数の谷形状の溝２Ｂｇから構成されている。図１２に示すものでは、溝２Ｃは、複数の矩形状突起２Ｃｐの間に形成された複数の矩形状の溝２Ｃｇから構成されている。図１３に示すものでは、溝２Ｄは、複数の波形状突起２Ｄｐの間に形成された複数の波形状の溝２Ｄｇから構成されている。
【００５３】
＜第８の変形例＞
前記実施例では、図１ないし図４に示したように、前足部領域Ｆに７個のクリーツを配置し、踵部領域Ｈに２個のクリーツを配置した例を示したが、クリーツの個数や配置は、前記実施例に示されたものには限定されない。
【００５４】
図１４は、クリーツの個数や配置が前記実施例と異なる場合のアウトソールプレート構造の一例を示している。同図に示す例では、前記実施例における前足部領域Ｆの内甲側のクリーツ１０’のかわりにクリーツ１０' １、１０’２が、外甲側のクリーツ１１の前方にクリーツ１１１がそれぞれ配置され、前記実施例における踵部領域Ｈの内甲側のクリーツ１３のかわりにクリーツ１３１、１３２が、外甲側のクリーツ１３’のかわりにクリーツ１３’１、１３’２がそれぞれ配置されている。クリーツ１０' １、１０’２は、拇指球部領域ＴＥに対応する位置に配置され、クリーツ１３ １は、載距突起部分ＳＴに対応する位置に配置されている。なお、図１４に示すものにおいても、前記実施例と同様の溝２が配設されており、各溝の配置、分布領域および配列は前記実施例と同様であり、その横断面形状についても、図１４のV-V線断面およびVI-VI線断面は、前記実施例の図５および図６に示したとおりである。
【００５５】
この場合においても、前記実施例と同様に、アウトソールプレート本体１において拇指球部領域ＴＥに対応する領域が踵部領域Ｈに対して屈曲しやすくなっており、言い換えれば、アウトソールプレート本体１の中足部領域Ｍが回外を起こしやすくなっている。これにより、ターンを行う際には、アウトソールプレート本体１の底面１Ａを地面に対して十分に接地させることができ、地面に対するグリップ力を大きくできるとともに、ターンを行う方向への脚の傾斜角度を大きくできる。このようにして、ターンを行う方向への地面反力を十分に得ることができ、素早いターンを実現できるようになる。
【００５６】
＜第９の変形例＞
前記実施例では、好ましい例として、アウトソールプレート本体１において三角形状領域ＴＲの外甲側に高剛性領域部３を設けた例を示したが、この高剛性領域部３は省略することも可能である。三角形状領域ＴＲに溝２を形成することで、当該三角形状領域ＴＲの剛性を相対的に低下させることが可能だからである。
【産業上の利用可能性】
【００５７】
以上のように、本発明は、スポーツシューズ用アウトソールプレート構造に有用であり、とくに、運動時に素早いターンを要求されるスポーツシューズに適している。
【符号の説明】
【００５８】
１：  アウトソールプレート本体
１Ａ：  底面
２（２１〜２５）：  溝
３（３Ａ、３Ｂ）：  高剛性領域
１０〜１３’：  クリーツ
ＴＥ：  拇指球部領域
ＨＥ:  子指球部領域
ＣＣ：  踵骨
ＳＴ：  載距突起部分
ＴＲ：  三角形状領域
Ｆ：  前足部領域
Ｍ：  中足部領域
Ｈ：  踵部領域
【先行技術文献】
【特許文献】
【００５９】
【特許文献１】特開２０１２−６１３０８号公報（同公報の段落［００２３］〜［００２６］および［００４９］〜［００５０］ならびに図２〜図８参照）
【特許文献２】特許第４９３５８１３号公報（同公報の段落［０００３］および［００１９］〜［００２２］ならびに図５〜図９参照）
【図１】
0005959086.tif 000002
【図２】
0005959086.tif 000003
【図３】
0005959086.tif 000004
【図４】
0005959086.tif 000005
【図５】
0005959086.tif 000006
【図６】
0005959086.tif 000007
【図７】
0005959086.tif 000008
【図８】
0005959086.tif 000009
【図９】
0005959086.tif 000010
【図１０】
0005959086.tif 000011
【図１１】
0005959086.tif 000012
【図１２】
0005959086.tif 000013
【図１３】
0005959086.tif 000014
【図１４】
0005959086.tif 000015